(57)【特許請求の範囲】
【請求項１】
下面に開口を有し側壁にランプ挿通穴を形成した有天筒形であり天井穴に埋設される器具本体と、この器具本体の天部に取付られた支持アームを有するもので前記器具本体の外側でランプ挿通穴に対向し前記ランプ挿通穴を挿通して前記器具本体内に配設されたランプを装着するランプソケットと、前記ランプを貫通させるランプ密着穴を略中央に有し周縁に前記器具本体の前記ランプ挿通穴に密着する周溝を有するパッキンとを備え、前記ランプはランプ管と前記ランプ管を支持する口金を有し、前記口金の前記ランプ管と反対側が先細に傾斜しておりその先端に前記ランプソケットに装着される装着部を有し、前記装着部が前記ランプソケットに装着された状態で前記パッキンの前記ランプ密着穴の縁部が前記口金の先細の傾斜部分の外周に密着し、前記器具本体は天井裏から前記器具本体内に虫が侵入する隙間のない構造であり、かつ前記開口に下面パネルを有することを特徴とする照明器具。
【請求項２】
前記器具本体は側壁にスリットを有し、前記スリットより突出して先端が天井板の裏面に係止する取付具を有し、さらに前記スリットを虫の侵入を防止できる程度に密閉する虫侵入防止部材を有し、前記虫進入防止部材は前記スリットを内側から密閉するように前記器具本体の前記スリットの周辺に貼付したパッキンである請求項１記載の照明器具。
【請求項３】
前記器具本体の開口の縁部と前記下面パネルとの間にパネル用のパッキンを密着介在するとともに前記下面パネルが紫外線域をカットする低誘虫パネルである請求項１または請求項２記載の照明器具。  
【発明の詳細な説明】
【技術分野】
【０００１】
この発明は、軒下用ダウライトなどの照明器具に関するものである。
【背景技術】
【０００２】
第１の従来例は、図２に示すように下面に開口を有して天井穴５０に埋設される器具本体５１と、この器具本体５１内に配設されたランプ５２を装着するランプソケット５３とを備えている。器具本体５１は開口に線ばね（図示せず）で支持する枠５４を設け、枠５４の外つばで天井板５５の天井穴５０の周縁を被覆するとともに内つばで器具本体５１の開口を塞ぐパネル５６および反射板５７を支持している。ランプソケット５３は器具本体５１の内部に配設されている。また器具本体５１の側壁にスリット５８を設け、スリット５８より外部に取付具５９を突出し、その先端を天井板５５の裏面に係止して、器具本体５１を天井板５５に固定している。
【０００３】
さらに、器具本体５１の防虫のため、天井裏側において、線ばねを支持する切り起こし片６０により形成された本体穴６０ａを塞ぐシール６１を貼り付け、スリット５８に器具本体５１の内面側から仕切り板６２を設けてスリット５８を塞ぎ、器具下面においては外つばの外周にパッキン６３を装着して天井板５５の下面と器具本体５１間の隙間および器具本体５１と枠５４間の隙間を塞いでいる。パネル５６と枠５４との間の隙間もパネル５６の全周にパッキン６４を設けて塞いでいる。
【０００４】
第２の従来例（例えば特許文献１参照）は、器具本体の開口に配置する枠を器具本体に取り付けるための線ばねを、器具本体に形成した挿通孔に挿通して挿通孔の孔縁に係止しており、この挿通孔から器具本体内に虫が侵入するのを防止する侵入防止手段を器具本体に一体に設けている。
【特許文献１】実開昭６１−９７１３号公報
【発明の開示】
【発明が解決しようとする課題】
【０００５】
第１の従来例は、スリット５８と仕切り板６２との間に若干の隙間がありその隙間から漏光があるとともに小さな虫が侵入しパネル５６の内面（上面）に蓄積して、外観を損なうという課題があった。  
【０００６】
第２の従来例の侵入防止手段も、器具本体に一体に設けられているため、線ばねとの間の若干の隙間があってそこから漏光があるとともに小さな虫が侵入する可能性があった。
【０００７】
したがって、この発明の目的は、天井裏から器具本体内に侵入する小さな虫も防止することができる照明器具を提供することである。
【課題を解決するための手段】
【０００８】
この発明の照明器具は、下面に開口を有し側壁にランプ挿通穴を形成した有天筒形であり天井穴に埋設される器具本体と、この器具本体の天部に取付られた支持アームを有するもので前記器具本体の外側でランプ挿通穴に対向し前記ランプ挿通穴を挿通して前記器具本体内に配設されたランプを装着するランプソケットと、前記ランプを貫通させるランプ密着穴を略中央に有し周縁に前記器具本体の前記ランプ挿通穴に密着する周溝を有するパッキンとを備え、前記ランプはランプ管とランプ管を支持する口金を有し、前記口金の前記ランプ管と反対側が先細に傾斜しておりその先端に前記ランプソケットに装着される装着部を有し、前記装着部が前記ランプソケットに装着された状態で前記パッキンの前記ランプ密着穴の縁部が前記口金の先細の傾斜部分の外周に密着し、前記器具本体は天井裏から前記器具本体内に虫が侵入する隙間のない構造であり、かつ前記開口に下面パネルを有することを特徴とする。
【０００９】
上記構成において、前記器具本体は側壁にスリットを有し、前記スリットより突出して先端が天井板の裏面に係止する取付具を有し、さらに前記スリットを虫の侵入を防止できる程度に密閉する虫侵入防止部材を有する。前記虫進入防止部材はスリットを内側から密閉するように器具本体のスリットの周辺に貼付したパッキンである。
【００１０】
上記構成において、前記器具本体の開口の縁部と前記下面パネルとの間にパネル用のパッキンを密着介在するとともに、前記下面パネルが紫外線域をカットする低誘虫パネルである。
【発明の効果】
【００１１】
この発明の照明器具によれば、天井裏側に埋め込まれる器具本体に穴等の隙間がない構成としたため、虫が侵入することがなく、これにより小さな虫が器具本体より室内に侵入したり、また器具本体の開口にパネルがある場合にはパネルに蓄積するのを防止することができる。
【００１２】
取付具を突出させるスリットを虫侵入防止部材で隙間なく塞ぐことにより、天井裏からの虫の侵入を完全に防止することができる。また器具本体から天井裏への光漏れもなくすと、虫が漏光によって器具本体に集まりにくい。
【００１３】
下面パネルを低誘虫パネルとしたため、下面から出る光は虫が集まりやすい光の波長がカットされているため、虫が集まりにくくなる。
【発明を実施するための最良の形態】
【００１４】
この発明の一実施の形態のダウンライトを図１により説明する。このダウンライトは、器具本体１と、ランプソケット２と、防虫用のパッキン３ａ〜３ｄとを有する。
【００１５】
器具本体１は、下面に開口５を有する有天筒形であり、天井穴４に埋設される。すなわち、器具本体１の側壁にスリット６を形成し、スリット６より取付具８が突出してその先端が天井板７の裏面に係止し、これによって器具本体１が天井板７に取付けられる。また器具本体１は側壁の上部にランプ挿通穴９を形成している。
【００１６】
ランプソケット２は、ランプ挿通穴９に対向するように器具本体１の外側に配置されている。器具本体１の天部に略Ｌ字形の支持アーム１０の一端が取付けられ、他端にランプソケット２が取付けられている。ランプ１１は図１に示すように、ランプ管１１ａとランプ管１１ａを支持する口金１１ｂを有し、口金１１ｂのランプ管１１ａと反対側が先細に傾斜しておりその先端に装着部（図示せず）を有し、装着部がランプソケット２に装着され、口金１１ｂがランプ挿通穴９に挿通されている。
【００１７】
枠１２は器具本体１の開口５の縁部に支持されている。すなわち、略逆Ｕ字形の線ばね１３の両端を枠１２に取付け、器具本体１の側壁に形成した切り起こし片１４に線ばね１３を摺動可能に係止している。枠１２の外つばは天井板７の埋め込み穴４の周縁を被覆し、内つばは開口５を塞ぐ下面パネル１５と反射板１６を支持している。反射板１６は略筒状で約半分から上側が円錐台状となっており、上端部にランプ１１を挿通する切欠きを形成している。なおランプ１１の中心は反射板１６の軸線上に位置する。下面パネル１５は紫外線域をカットする低誘虫パネルを用いている。切り起こし片１４の切り起こしにより器具本体１に形成される本体穴はシール１９により塞がれている。
【００１８】
パッキン３ａ〜３ｄは虫侵入防止部材として使用するものであり、例えばゴム製や樹脂製のパッキンを用いている。パッキン３ａ、３ｂは天井裏から器具本体１内に虫が侵入する箇所を密閉するものである。そのうちパッキン３ａは器具本体１のスリット６を内側から密閉するように例えば接着剤によりスリット６の周辺に貼付している。パッキン３ｂはランプ１１を貫通させるランプ密着穴１７を略中央に有し、周縁に器具本体１のランプ挿通穴９に密着する周溝１８を有する。すなわち、図１のように口金１１ａの装着部がランプソケット２に装着された状態でパッキン３ｂのランプ密着穴１７の縁部が口金１１ａの先細の傾斜部分の外周に密着する。これらによりスリット６やランプ挿通穴９から虫が侵入するのを防止することができる。これらのパッキン３ａ、３ｂは、器具本体１からの漏光も防止する程度に器具本体１に密着すると虫が漏光に集まらないので効果が高い。パッキン３ｃ、３ｄは器具本体１を下面側から虫の入らない構造とするものであり、パッキン３ｃは下面パネル１５の全周に設けて枠１２の内つばと下面パネル１５との間に密着介在し、内つばと下面パネル１５との隙間を塞ぎ虫が侵入するのを防止する。パッキン３ｄは枠１２の外つばの外周に装着して外つばと天井板７との間に密着介在し器具本体１と天井板７との隙間および器具本体１と枠１２との隙間を塞ぎ虫が侵入するのを防止する。
【００１９】
この実施の形態によれば、天井裏側に埋め込まれる器具本体１に穴等の隙間がないため、虫が侵入しないとともに、スリット６に貼り付けるパッキン３ａは隙間だけでなく光漏れもないため、虫も集まりにくい。また下面パネル１５を有しかつパッキン３ｂ、３ｃを有するため、器具下面からも上記と同様に虫が侵入しない。下面パネル１５に低誘虫パネルを用いているため、下面からでる光は虫が集まりやすい光の波長をカットするので、虫が集まりにくい。
【００２０】
なお、この発明において、ランプソケットは器具本体内に配置されているものでもよい。
【図面の簡単な説明】
【００２１】
【図１】この発明の第１の実施の形態の断面図である。
【図２】第１の従来例の半断面側面図である。
【符号の説明】
【００２２】
１    器具本体
２    ランプソケット
３ａ〜３ｄ    パッキン    
４    天井穴
５    開口
６    スリット  
７    天井板
８    取付具  
１２    枠  
１５    下面パネル
【図１】
0004749001.tif 000002
【図２】
0004749001.tif 000003